(57)【要約】【課題】小型化したロック部材を備えた電子装置、ケースユニット、及びロック装置を提供することを課題とする。【解決手段】ケースと、前記ケースに保持された対象部材と、前記ケース側に設けられた操作部と、付勢部材と、前記操作部の操作に応じて移動する押出部材と、前記ケースに保持された前記対象部材に係合する係合位置及び離脱する離脱位置間を移動可能であり、前記係合位置に前記付勢部材により付勢され、前記押出部材の移動に応じて前記離脱位置に押されるロック部材と、を備え、前記ロック部材は、前記対象部材に係合離脱可能な係合部、前記係合部よりも窪んだ溝部、を含み、前記押出部材は、移動に応じて前記溝部の内側面をスライドしながら前記ロック部材を前記離脱位置に押す突部を含む、電子装置。【選択図】図６
2014063395.tif 000002
【特許請求の範囲】
【請求項１】
ケースと、
前記ケースに保持された対象部材と、
前記ケース側に設けられた操作部と、
付勢部材と、
前記操作部の操作に応じて移動する押出部材と、
前記ケースに保持された前記対象部材に係合する係合位置及び離脱する離脱位置間を移動可能であり、前記係合位置に前記付勢部材により付勢され、前記押出部材の移動に応じて前記離脱位置に押されるロック部材と、を備え、
前記ロック部材は、前記対象部材に係合離脱可能な係合部、前記係合部よりも窪んだ溝部、を含み、
前記押出部材は、移動に応じて前記溝部の内側面をスライドしながら前記ロック部材を前記離脱位置に押す突部を含む、電子装置。
【請求項２】
前記ロック部材は、所定の軸心周りに回転可能に支持され、
前記溝部は、前記軸心の方向の前記係合部の厚み内に位置する底面を有している、請求項１の電子装置。
【請求項３】
前記ロック部材は、一端が回転可能に支持され前記溝部が形成され一端から所定方向に延びた胴部、前記胴部の他端から該胴部の長手方向に延びた延在部、前記胴部の他端から該胴部の長手方向に交差するに突出した前記係合部、を含み、
前記延在部の外側面は、前記溝部の内側面に連続しており、
前記突部は、前記延在部の外側面と前記溝部の内側面にわたってスライドする、請求項１又は２の電子装置。
【請求項４】
前記突部は、ピン状であり、
前記突部の外側面は、前記溝部の内側面にスライドする、請求項１乃至３の何れかの電子装置。
【請求項５】
前記ロック部材を回転可能に支持し前記ケース側に固定された軸部を備え、
前記押出部材は、前記軸部に貫通され該押出部材の移動範囲を規定する孔を含む、請求項１乃至４の何れかの電子装置。
【請求項６】
前記付勢部材は、コイル状に巻かれたコイル部、前記コイル部に連続して前記ケース側に係合した第１腕部、前記コイル部に連続して前記ロック部材側に係合した第２腕部、を含み、
前記コイル部は、前記ロック部材の第１面側に位置し、
前記第２腕部の端部は、前記ロック部材の前記第１面と反対側の第２面側に位置し、
前記ロック部材は、前記コイル部と対向し前記係合部よりも薄肉な薄肉部を含む、請求項１乃至５の何れかの電子装置。
【請求項７】
前記操作部を操作可能に支持し前記押出部材を移動可能に支持した支持部と、
前記操作部の操作を前記押出部材に伝達する伝達部材と、を備えた請求項１乃至６の何れかの電子装置。
【請求項８】
ケースと、
前記ケース側に設けられた操作部と、
付勢部材と、
前記操作部の操作に応じて移動する押出部材と、
ロックの対象となる対象部材に係合する係合位置及び離脱する離脱位置間を移動可能であり、前記係合位置に前記付勢部材により付勢され、前記押出部材の移動に応じて前記離脱位置に押されるロック部材と、を備え、
前記ロック部材は、前記対象部材に係合離脱可能な係合部、前記係合部よりも窪んだ溝部、を含み、
前記押出部材は、該押出部材の移動に応じて前記溝部の内側面をスライドしながら前記ロック部材を前記離脱位置に押す突部を含む、ケースユニット。
【請求項９】
操作部と、
付勢部材と、
前記操作部の操作に応じて移動する押出部材と、
ロックの対象となる対象部材に係合する係合位置及び離脱する離脱位置間を移動可能であり、前記係合位置に前記付勢部材により付勢され、前記押出部材の移動に応じて前記離脱位置に押されるロック部材と、を備え、
前記ロック部材は、前記対象部材に係合離脱可能な係合部、前記係合部よりも窪んだ溝部、を含み、
前記押出部材は、該押出部材の移動に応じて前記溝部の内側面をスライドしながら前記ロック部材を前記離脱位置に押す突部を含む、ロック装置。
【発明の詳細な説明】
【技術分野】
【０００１】
本発明は、電子装置、ケースユニット、及びロック装置に関する。
【背景技術】
【０００２】
電子装置のケースに保持された部材をロックするロック装置が知られている。特許文献１には、ロック装置に関連する技術が開示されている。
【先行技術文献】
【特許文献】
【０００３】
【特許文献１】特開２００１‐６７１４６号公報
【発明の概要】
【発明が解決しようとする課題】
【０００４】
ロック装置が大型化すると、ロック装置が占有するケース内のスペースも大きくなり、電子装置自体が大型化するおそれがある。
【０００５】
本発明は、大型化が抑制された電子装置、ケースユニット、及びロック装置を提供することを目的とする。
【課題を解決するための手段】
【０００６】
本明細書に開示の電子装置は、ケースと、前記ケースに保持された対象部材と、前記ケース側に設けられた操作部と、付勢部材と、前記操作部の操作に応じて移動する押出部材と、前記ケースに保持された前記対象部材に係合する係合位置及び離脱する離脱位置間を移動可能であり、前記係合位置に前記付勢部材により付勢され、前記押出部材の移動に応じて前記離脱位置に押されるロック部材と、を備え、前記ロック部材は、前記対象部材に係合離脱可能な係合部、前記係合部よりも窪んだ溝部、を含み、前記押出部材は、移動に応じて前記溝部の内側面をスライドしながら前記ロック部材を前記離脱位置に押す突部を含む。
【０００７】
本明細書に開示のケースユニットは、ケースと、前記ケース側に設けられた操作部と、付勢部材と、前記操作部の操作に応じて移動する押出部材と、ロックの対象となる対象部材に係合する係合位置及び離脱する離脱位置間を移動可能であり、前記係合位置に前記付勢部材により付勢され、前記押出部材の移動に応じて前記離脱位置に押されるロック部材と、を備え、前記ロック部材は、前記対象部材に係合離脱可能な係合部、前記係合部よりも窪んだ溝部、を含み、前記押出部材は、該押出部材の移動に応じて前記溝部の内側面をスライドしながら前記ロック部材を前記離脱位置に押す突部を含む。
【０００８】
本明細書に開示のロック装置は、操作部と、付勢部材と、前記操作部の操作に応じて移動する押出部材と、ロックの対象となる対象部材に係合する係合位置及び離脱する離脱位置間を移動可能であり、前記係合位置に前記付勢部材により付勢され、前記押出部材の移動に応じて前記離脱位置に押されるロック部材と、を備え、前記ロック部材は、前記対象部材に係合離脱可能な係合部、前記係合部よりも窪んだ溝部、を含み、前記押出部材は、該押出部材の移動に応じて前記溝部の内側面をスライドしながら前記ロック部材を前記離脱位置に押す突部を含む。
【発明の効果】
【０００９】
大型化が抑制された電子装置、ケースユニット、及びロック装置を提供できる。
【図面の簡単な説明】
【００１０】
【図１】図１は、本実施例のノート型コンピュータの説明図である。
【図２】図２は、ケースを示した斜視図である。
【図３】図３は、光ディスクドライブを保持したケースの正面図である。
【図４】図４は、ロック装置の説明図である。
【図５】図５は、ロック装置の分解斜視図である。
【図６】図６Ａ〜６Ｃは、ロック部材の説明図である。
【図７】図７Ａ、７Ｂは、係合位置から解除位置へのロック部材の移動の説明図である。
【図８】図８Ａ、８Ｂは、係合位置から解除位置へのロック部材の移動の説明図である。
【図９】図９は、スライダとロック部材との断面図である。
【図１０】図１０Ａ、１０Ｂは、本実施例とは異なる比較例のロック装置に使用されるスライダ、ロック部材の説明図である。
【発明を実施するための形態】
【００１１】
ノート型コンピュータを電子装置の一例として説明する。図１は、本実施例のノート型コンピュータ１の説明図である。ノート型コンピュータ１は、筐体１０、２０を有している。筐体１０、２０は、２軸ヒンジＨにより開閉可能及び回転可能に連結されている。筐体１０には、画像を表示するディスプレイＤが設けられている。筐体２０は、フロントケース（以下、ケースと称する）２０Ｆ、リアケース（以下、ケースと称する）２０Ｒを含む。ケース２０Ｆの上面には、ノート型コンピュータ１を操作するためのキーボードＫが設けられている。筐体２０内には、光ディスクドライブＯＤＤが着脱可能に収納されている。筐体２０の側面には、光ディスクドライブＯＤＤを挿入するための挿入口ＩＳが設けられている。また、筐体２０には、筐体２０内に収納された光ディスクドライブＯＤＤをロックするためのロック装置Ｒが設けられている。図１は、ノート型コンピュータ１から光ディスクドライブＯＤＤを取外した状態を示している。尚、筐体２０内には、その他マザーボード、バッテリ、メモリ、ハードディスク等が収納されている。
【００１２】
図２は、ケース２０Ｒを示した斜視図である。図２では、ケース２０Ｒ、ケース２０Ｒに取付けられたロック装置Ｒを示している。ケース２０Ｒ、ロック装置Ｒは、ケースユニットの一例である。ケース２０Ｒは、光ディスクドライブＯＤＤを保持する保持部２２を有している。ケース２０Ｒは、光ディスクドライブＯＤＤを保持する。ケース２０Ｒには、ハードディスクを保持する保持部２４が設けられている。図３は、光ディスクドライブＯＤＤを保持したケース２０Ｒの正面図である。図３では、光ディスクドライブＯＤＤは点線で示している。光ディスクドライブＯＤＤの側面に沿うようにロック装置Ｒが配置されている。光ディスクドライブＯＤＤは、ケースに保持された対象部材の一例である。
【００１３】
図４は、ロック装置Ｒの説明図である。図４は、ケース２０Ｒの底面側からロック装置Ｒを見た図である。図５は、ロック装置Ｒの分解斜視図である。ロック装置Ｒは、支持プレート３０、レバー４０、ギア５０、ラック６０、スライダ７０、ロック部材８０を含む。支持プレート３０は、ケース２０Ｒ側に固定されており、レバー４０、ギア５０、ラック６０、スライダ７０、ロック部材８０をそれぞれ移動可能に支持している。スライダ７０は、支持プレート３０とロック部材８０との間に配置される。レバー４０は、支持プレート３０により操作可能に支持されている。スライダ７０は、操作部の操作に応じて移動する押出部材の一例である。支持プレート３０は、操作部を操作可能に支持し押出部材を移動可能に支持した支持部の一例である。
【００１４】
レバー４０が操作されることにより、ギア５０、ラック６０、スライダ７０が連動し、スライダ７０はスライドする。スライダ７０のスライドに応じて、ロック部材８０は光ディスクドライブＯＤＤに係合してロックする係合位置及びロックを解除する解除位置間を移動するようにスライダ７０により押される。ロック部材８０のロックを解除後、更にレバー４０が操作されるとスライダ７０は更にレバー４０側にスライドして光ディスクドライブＯＤＤをケース２０Ｒから排出するように押す。尚、ロック部材８０は、光ディスクドライブＯＤＤの側面に形成された窪みに係合してロックする。
【００１５】
支持プレート３０は金属製である。支持プレート３０は、ベース部３１、ベース部３１の縁から立ち上がった側壁３６、３７、を含む。ベース部３１には、軽量化のための長孔Ｈ３が形成されている。側壁３６、３７の間にラック６０が配置される。ベース部３１には、軸部３４、３５、３８が形成されている。軸部３４は、レバー４０の円筒部４４に挿入されてレバー４０を回転可能に支持する。軸部３５は、ギア５０を回転可能に支持している。軸部３８は、スライダ７０の長孔Ｈ７を貫通しロック部材８０の孔Ｈ８を貫通しており、ロック部材８０を揺動可能に支持している。
【００１６】
レバー４０は合成樹脂製である。レバー４０は、円筒部４４から径方向外側に延びたつまみ部４２、円筒部４４の周方向に部分的に形成されギア５０と噛合うギア部４５、を含む。ラック６０は、直線状の側面にギア部６１が形成されている。ギア部６１は、ギア５０と噛合っている。ラック６０の連結部６３は、スライダ７０の一端から立ち上がった挿入片７６が挿入されて連結されている。ユーザはつまみ部４２を掴んでレバー４０を回転させることにより、ギア５０が回転し、ラック６０及びスライダ７０が直線状にスライドする。ラック６０は、ギア５０の回転運動を直線運動に変換している。ギア５０、ラック６０は、レバー４０への操作をスライダ７０へ伝達する伝達部材の一例である。
【００１７】
スプリングＳ４は、円筒部４４周りに巻かれており、一端がレバー４０側を押し他端が軸部３５に係合している。スプリングＳ４は、レバー４０を初期位置側に付勢している。レバー４０の初期位置とは、ロック部材８０が係合位置に位置づけられている状態でのレバー４０の位置である。
【００１８】
スライダ７０は、ベース部７１、側壁７７、７８、押出部７９を含む。ベース部７１、３１がスライダ７０、支持プレート３０に重なるように配置されている。ベース部７１には、スライダ７０の長手方向に延びた長孔Ｈ７が形成されている。挿入片７６は、レバー４０側のベース部７１の端部に形成されている。側壁７７、７８は、ベース部７１から立ち上がっている。側壁７７、７８の間には、壁が設けられていない逃げ部Ｃ７が設けられている。長孔Ｈ７は、側壁７８の近傍に形成されている。側壁７８の端部、即ち、レバー４０から離れたスライダ７０の端部には、側壁７８から折り曲げられた押出部７９が形成されている。押出部７９は、スライダ７０の移動に応じて光ディスクドライブＯＤＤの後部を押す。突部７２は、ベース部７１のロック部材８０に対向する面から突出している。スライダ７０のスライドに伴って突部７２がロック部材８０を押すことにより、ロック部材８０はロック位置から解除位置へと押される。突部７２は、ピン状であり、円柱状や円筒状であってもよい。尚、スライダ７０は金属製の薄板状であるため、突部７２はプレス加工、絞り加工によって形成してもよい。
【００１９】
ロック部材８０は、合成樹脂製である。ロック部材８０については詳しくは後述する。スプリングＳ８は、ロック部材８０を係合位置側に付勢している。スプリングＳ８は、コイル状に巻かれたコイル部Ｓ８ａ、コイル部Ｓ８ａから延びた腕部Ｓ８ｂ、Ｓ８ｃを含む。コイル部Ｓ８ａは、ロック部材８０を揺動可能に支持する軸部３８周りに巻かれている。腕部Ｓ８ｂは、支持プレート３０の側壁３７に形成された切欠部Ｃ４に係合する。支持プレート３０はケース２０Ｒ側に固定されている。従って、腕部Ｓ８ｂは、コイル部に連続してケース側に係合した第１腕部の一例である。腕部Ｓ８ｃは、ロック部材８０側に取付けられている。腕部Ｓ８ｃは、第２腕部の一例である。
【００２０】
ユーザがスプリングＳ４の付勢力に抗して図４の状態からレバー４０を反時計方向に回転させると、スライダ７０はレバー４０側にスライドし、突部７２はスプリングＳ８の付勢力に抗してレバー４０を退避位置側へ押し、その後押出部７９が光ディスクドライブＯＤＤを押す。ユーザがレバー４０を話すとスプリングＳ４の付勢力によりレバー４０が時計方向に回転し、スライダ７０がレバー４０から離れるようにスライドし、突部７２もロック部材８０から離れるようにスライドする。これにより、ロック部材８０はスプリングＳ８の付勢力に従って、係合位置に移動する。
【００２１】
図６Ａ〜６Ｃは、ロック部材８０の説明図である。ロック部材８０は、胴部８１、係合部８４、延在部８５、薄肉部８９等を含む。胴部８１は、一端に孔Ｈ８が形成され回転可能に支持されており、部分的に溝部８２が形成されている。孔Ｈ８に軸部３８が貫通し、ロック部材８０は孔Ｈ８の軸心ＡＨ周りに回転可能に支持される。胴部８１は、孔Ｈ８が形成された一端から所定方向に延びている。係合部８４は、胴部８１の他端から方向ＣＤに突出している。方向ＣＤは、胴部８１の長手方向に交差する方向であり、ロック部材８０の回転可能な方向に沿った方向である。延在部８５は、胴部８１の他端からＲＤ方向に延びている。ＲＤ方向は、胴部８１の長手方向であり、ロック部材８０の回転中心から径方向外側であり、孔Ｈ８から離れる方向である。方向ＣＤ、ＲＤは、いずれもロック部材８０が回転する平面、即ち軸心ＡＨに垂直な平面に含まれる。係合部８４、延在部８５は、胴部８１の他端から互いに異なる方向に突出している。
【００２２】
溝部８２は、胴部８１の他端から一端に向かって形成されており、換言すれば、ロック部材８０の長手方向に沿って形成されている。溝部８２は、係合部８４よりも窪んでいる。溝部８２は、底面８２ｂ、底面８２ｂに垂直に立ち上がった内側面８２ｓを含む。内側面８２ｓは略直線状に延びている。延在部８５は、外側面８５ｓを含む。外側面８５ｓは、延在部８５の先端から係合部８４に向けて延び、途中で湾曲して溝部８２の内側面８２ｓに滑らかに連続している。外側面８５ｓは、係合部８４側の延在部８５の外面である。
【００２３】
薄肉部８９には孔Ｈ８が形成され、薄肉部８９は係合部８４や延在部８５よりも薄肉に形成されている。図４、５に示すように、薄肉部８９にスプリングＳ８のコイル部Ｓ８ａが配置され、これによりスプリングＳ８を含むロック部材８０の全体の厚みを抑制している。ロック部材８０の厚みとは、孔Ｈ８の軸心ＡＨの方向でのロック部材８０の厚みである。
【００２４】
ロック部材８０の溝部８２が形成された面と同じ面側に凹部８８が形成されている。凹部８８は、スプリングＳ８の腕部Ｓ８ｃの端部が配置される。また、上述したようにコイル部Ｓ８ａは、溝部８２や凹部８８が形成された面の裏面側に配置される。従って、スプリングＳ８は、コイル部Ｓ８ａと腕部Ｓ８ｃの端部とでロック部材８０を両面から挟むように組付けられている。これにより、ロック部材８０からスプリングＳ８が取り外れることが防止されている。溝部８２、凹部８８が形成されていないロック部材の８０の面は第１面の一例であり、溝部８２、凹部８８が形成されたロック部材の８０の面は第２面の一例である。
【００２５】
スプリングＳ８のコイル部Ｓ８ａは、ロック部材８０を回転可能に支持する軸部３８に巻きつられているので、軸部３８以外に支持プレート３０に軸部を形成しスプリングＳ８のコイル部Ｓ８ａを巻きつける場合と比較して、支持プレート３０が小型化されている。
【００２６】
次に、ロック部材８０の係合位置から解除位置への移動について説明する。図７Ａ、７Ｂ、８Ａ、８Ｂは、係合位置から解除位置へのロック部材８０の移動の説明図である。図７Ａに示すロック部材８０は、スプリングＳ８の付勢力により側壁７７に押付けられて係合位置に位置づけられている。係合部８４は、側壁７７、７８の間に形成された逃げ部Ｃ７からスライダ７０の外側に突出している。逃げ部Ｃ７から外側に突出した係合部８４が光ディスクドライブＯＤＤの側面に設けられた窪みに係合することにより、光ディスクドライブＯＤＤがロックされる。軸部３８は、ベース部３１に近い根元部３８ａ、根元部３８ａから延びて根元部３８ａよりも径が細く孔Ｈ８を貫通した胴部３８ｂ、を含む。根元部３８ａは、長孔Ｈ７内を摺動する。図７Ａに示した状態では、根元部３８ａが長孔Ｈ７の一端に当接している。突部７２は、延在部８５の外側面８５ｓに対向している。
【００２７】
レバー４０が回転されると、図７Ｂに示すように、スライダ７０は支持プレート３０に対して直線状に相対移動する。これにより、根元部３８ａは長孔Ｈ７内をスライドする。突部７２は、延在部８５の外側面８５ｓを押すようにスライドする。これにより、ロック部材８０は時計方向に回転して解除位置側に向けて押され、係合部８４はロック装置Ｒ内へと退避する。
【００２８】
更にスライダ７０がスライドすると、図８Ａに示すように突部７２は外側面８５ｓから溝部８２の内側面８２ｓへスライドしながらロック部材８０を押す。また、延在部８５は側壁３７に形成された切欠部Ｃ３から突出する。更にスライダ７０がスライドすると、図８Ｂに示すように、係合部８４は内側面８２ｓの直線状の部分をスライドし、ロック部材８０は解除位置に位置づけられる。この状態で根元部３８ａは、長孔Ｈ７の他端に当接する。尚、突部７２が、溝部８２の底面８２ｂには接触しないように長さが設定されている。
【００２９】
このように、根元部３８ａと長孔Ｈ７との係合により、スライダ７０のスライド範囲が規制されている。これにより、スライダ７０に連動したレバー４０の回転範囲も規制されている。例えば合成樹脂製であるレバー４０の回転範囲を規制するためにレバー４０に直接接触するストッパを設けた場合にはレバー４０が削れ又は破損するおそれがある。しかながら本実施例のようにある程度の剛性を有する金属製の支持プレート３０、スライダ７０同士によって間接的にレバー４０の回転範囲を規制することにより、レバー４０の破損等を防止している。長孔Ｈ７は、軸部に貫通され該押出部材の移動範囲を規定する孔の一例である。
【００３０】
突部７２は、内側面８２ｓのみならず内側面８２ｓに連続した外側面８５ｓにもスライドしてロック部材８０を押す。このように突部７２がロック部材８０に接触する範囲を確保している。このような範囲が短い場合、ロック部材８０を解除位置へ押すためには突部７２の移動量に対しロック部材８０を大きな角度で回転させる必要がある。これによりスライド時のスライダ７０及びロック部材８０への負荷が増大するおそれがある。本実施例のように、突部７２がロック部材８０に接触する範囲を大きく確保することにより、突部７２、ロック部材８０への負荷を低減してロック部材８０を係合位置から解除位置へ移動させることができる。
【００３１】
突部７２はピン状であり、突部７２の湾曲した外周面が内側面８２ｓ、外側面８５ｓをスライドする。このため、突部７２の外周面と内側面８２ｓ、外側面８５ｓとの間の摩擦抵抗が抑制され、ロック部材８０をスムーズに回転させることができる。また、突部７２はスライダ７０に一体に形成されているため、例えば別体の突部をスライダ７０に取付ける場合と比較し、部品点数やコストが削減される。
【００３２】
図９は、スライダ７０とロック部材８０との断面図である。厚さＴ８は、係合部８４の厚みを示している。厚さＴＴは、ロック部材８０とスライダ７０との合計の厚みを示している。換言すれば、厚さＴＴは、ロック部材８０の底面からベース部７１の上面までの距離を示している。このように、溝部８２の底面８２ｂは、係合部８４の厚み内に位置している。
【００３３】
図１０Ａ、１０Ｂは、本実施例とは異なる比較例のロック装置に使用されるスライダ７０ｘ、ロック部材８０ｘの説明図である。尚、本実施例と類似の部分については類似の符号を付することにより重複する説明を省略する。図１０Ａに示すように、スライダ７０ｘは、ベース部７１ｘから垂直に折り曲げられた側壁７２ｘを含む。側壁７２ｘはスライダ７０ｘのスライド方向に対して斜めに延びている。図１０Ｂに示すように、ロック部材８０ｘは、胴部８１ｘ、胴部８１ｘから突出した係合部８４ｘ、胴部８１ｘから厚み方向に突出した隆起部８２ｘ、を含む。側壁７２ｘの内側面が隆起部８２ｘの外側面にスライドしながら、側壁７２ｘはロック部材８０ｘを係合位置から解除位置へと押す。ここで、厚さＴ８ｘは係合部８４ｘの厚みを示し、厚さＴＴｘは、ロック部材８０ｘとスライダ７０ｘとの合計の厚みを示している。
【００３４】
図９に示した本実施例の厚さＴ８と比較例の厚さＴ８ｘとが同じであった場合、厚さＴＴｘは厚さＴＴよりも厚くなる。側壁７２ｘがスライドする隆起部８２ｘが胴部８１ｘよりも厚み方向に突出しているからである。また、側壁７２ｘはベース部７１ｘの縁を垂直方向に折り曲げて形成されているため、この折り曲げるために側壁７２ｘの長さがある程度必要であり、ベース部７１ｘの上面から側壁７２ｘの下端部までの厚みも大きくなっているからである。
【００３５】
本実施例では、ロック部材８０に溝部８２を設けることにより、ロック部材８０の厚みが抑制されている。従って、ロック部材８０が小型化されおり、ロック装置Ｒの大型化が抑制され、ケース２０Ｒやノート型コンピュータ１自体の大型化も抑制されている。また、係合部８４から離れた部分に溝部８２を設けることにより、係合部８４の厚みを確保している。例えば、係合部８４の厚みも削減してロック部材８０全体の厚みを薄くすることも可能であるが、この場合光ディスクドライブＯＤＤに直接係合する係合部８４の耐久性が低下して破損する恐れがある。本実施例では、係合部８４の厚みを確保しつつロック部材８０全体の厚みが削減されているので、耐久性を確保しつつロック部材８０全体の小型化が達成されている。
【００３６】
上記実施例においては、電子装置の一例としてノート型コンピュータを例に説明したが、電子装置はそれ以外であってもよい。電子装置は、例えばタブレット型コンピュータ、携帯電話、携帯テレビ、電子辞書、ＰＤＡ、ゲーム機、カメラ、音楽プレイヤー、ナビゲーション装置、携帯型プロジェクタ、携帯装置であってもよい。また、電子装置は、例えばデスクトップ型のコンピュータ、モニタ、コンピュータを内蔵したモニタ、テレビ、オーディオ、プロジェクタ、その他の家電装置等の据置き型の装置であってもよい。
【００３７】
上記実施例においては、ロック装置Ｒによりロックの対象となる部材として光ディスクドライブＯＤＤを一例に説明した。しかしながらロックの対象となる部材はこれに限定されない。例えば、ロックの対象となる対象部材は、ハードディスク、メモリのような記憶媒体等であってもよいし、バッテリ、プロジェクタ、その他板状の部材であってもよい。
【００３８】
上記実施例において、ロック装置Ｒは支持プレート３０を備えていなくてもよい。例えば、軸部３４、３５、３８、側壁３６、３７等はケース２０Ｒに一体に形成されていてもよい。
【００３９】
以上本発明の好ましい一実施形態について詳述したが、本発明は係る特定の実施形態に限定されるものではなく、特許請求の範囲に記載された本発明の要旨の範囲内において、種々の変形・変更が可能である。
【符号の説明】
【００４０】
１  ノート型コンピュータ（電子装置）
２０  筐体
２０Ｒ  リアケース（ケース）
Ｒ  ロック装置
３０  支持プレート（支持部）
４０  レバー（操作部）
５０  ギア（伝達部材）
６０  ラック（伝達部材）
７０  スライダ（押出部材）
７２  突部
Ｈ７  長孔
８０  ロック部材
８１  胴部
８２  溝部
８２ｓ  内側面
８２ｂ  底面
８４  係合部
８５  延在部
８５ｓ  外側面
８８  凹部
８９  薄肉部
Ｈ８  孔
Ｓ８  スプリング（付勢部材）
Ｓ８ａ  コイル部
Ｓ８ｂ、Ｓ８ｃ（腕部）
【図１】
2014063395.tif 000003
【図２】
2014063395.tif 000004
【図３】
2014063395.tif 000005
【図４】
2014063395.tif 000006
【図５】
2014063395.tif 000007
【図６】
2014063395.tif 000008
【図７】
2014063395.tif 000009
【図８】
2014063395.tif 000010
【図９】
2014063395.tif 000011
【図１０】
2014063395.tif 000012